(57)【要約】【課題】操作性に優れるブラインドを提供すること。【解決手段】ブラインド１は、上側フレーム３１と下側フレーム３２とを回動自在に連結してなる内枠３と、内枠３に回動自在に支持された複数のブラインド羽根４と、上側フレーム３１に支持された複数のブラインド羽根４を回動自在に連結する第１操作アーム５１と、下側フレーム３２に支持された複数のブラインド羽根４を回動自在に連結する第２操作アーム５２とを回動自在に連結してなる操作アーム５と、内枠３の外側に設けられ、内枠３を支持する外枠２と、外枠２に設けられ、外枠２の上下方向に移動可能な移動部６と、外枠２の裏側に設けられ、移動部６を移動させる操作ハンドル７とを有している。また、内枠３は、上側フレーム３１が外枠２に対して回動自在に吊り下げ支持されるとともに、下側フレーム３２が前記第２操作アーム５２を介して移動部６に回動自在に連結されている。【選択図】図５
2012154104.tif 000002
【特許請求の範囲】
【請求項１】
上側フレームと下側フレームとを回動自在に連結してなる内枠と、
前記内枠に回動自在に支持された複数のブラインド羽根と、
前記上側フレームに支持された複数の前記ブラインド羽根を回動自在に連結する第１操作部と、前記下側フレームに支持された複数の前記ブラインド羽根を回動自在に連結する第２操作部とを回動自在に連結してなる操作部と、
前記内枠の外側に設けられ、前記内枠を支持する外枠と、
前記外枠に設けられ、前記外枠の上下方向に移動可能な移動部と、
前記外枠の裏側に設けられ、前記移動部を移動させる操作ハンドルとを有し、
前記内枠は、前記上側フレームが前記外枠に対して回動自在に吊り下げ支持されるとともに、前記下側フレームが前記第２連結部を介して前記移動部に回動自在に連結されており、
前記内枠が伸びかつ前記ブラインド羽根が閉じた状態から、前記操作ハンドルを第１方向に回して前記移動部を下側に移動させると、前記ブラインド羽根が前記内枠に対して回動し、前記ブラインド羽根が開いた状態となり、前記操作ハンドルを第１方向と逆の第２方向に回して前記移動部を上側に移動させると、前記下側フレームが上側に移動し、前記内枠が前記外枠の表側に突出して折り畳まれた状態となるように構成されていることを特徴とするブラインド。
【請求項２】
前記内枠が折り畳まれた状態では、前記上側フレームに支持された前記複数のブラインド羽根が閉じた状態となっており、前記下側フレームに支持された前記複数のブラインド羽根が開いた状態となっている請求項１に記載のブラインド。
【請求項３】
前記複数のブラインド羽根には、前記上側フレームと前記下側フレームの回動軸と同軸的に前記内枠に支持されたブラインド羽根が含まれ、該ブラインド羽根は、前記第１操作部および前記第２操作部のそれぞれに回動自在に連結されている請求項１または２に記載のブラインド。
【発明の詳細な説明】
【技術分野】
【０００１】
本発明は、ブラインドに関する。
【背景技術】
【０００２】
従来から、建物の窓に日よけのために設置されるブラインドが知られている（例えば、特許文献１参照）。特許文献１に記載のブラインドは、複数のブラインド羽根がロッドに回動可能に軸支されており、このロッドを操作することにより、全てのブラインド羽根の角度が一勢に変化するように構成されている。また、ロッドは、途中で折れ曲がるように構成されており、ロッドを折り曲げることにより、庇（ひさし）として利用できるようになっている。
【０００３】
しかしながら、特許文献１のブラインドでは、ブラインド羽根の角度を変化させる操作や、ロッドを折り曲げる操作を行う際には、ロッドやブラインド羽根を把持しなければならず、操作性が悪いという問題がある。
【先行技術文献】
【特許文献】
【０００４】
【特許文献１】特開昭６３−２６１０８７号公報
【発明の概要】
【発明が解決しようとする課題】
【０００５】
本発明の目的は、操作性に優れるブラインドを提供することにある。
【課題を解決するための手段】
【０００６】
このような目的は、下記（１）〜（３）の本発明により達成される。
（１）  上側フレームと下側フレームとを回動自在に連結してなる内枠と、
前記内枠に回動自在に支持された複数のブラインド羽根と、
前記上側フレームに支持された複数の前記ブラインド羽根を回動自在に連結する第１連結部と、前記下側フレームに支持された複数の前記ブラインド羽根を回動自在に連結する第２連結部とを回動自在に連結してなる操作部と、
前記内枠の外側に設けられ、前記内枠を支持する外枠と、
前記外枠に設けられ、前記外枠の上下方向に移動可能な移動部と、
前記外枠の裏側に設けられ、前記移動部を移動させる操作ハンドルとを有し、
前記内枠は、前記上側フレームが前記外枠に対して回動自在に吊り下げ支持されるとともに、前記下側フレームが前記第２連結部を介して前記移動部に回動自在に連結されており、
前記内枠が伸びかつ前記ブラインド羽根が閉じた状態から、前記操作ハンドルを第１方向に回して前記移動部を下側に移動させると、前記ブラインド羽根が前記内枠に対して回動し、前記ブラインド羽根が開いた状態となり、前記操作ハンドルを第１方向と逆の第２方向に回して前記移動部を上側に移動させると、前記下側フレームが上側に移動し、前記内枠が前記外枠の表側に突出して折り畳まれた状態となるように構成されていることを特徴とするブラインド。
【０００７】
（２）  前記内枠が折り畳まれた状態では、前記上側フレームに支持された前記複数のブラインド羽根が閉じた状態となっており、前記下側フレームに支持された前記複数のブラインド羽根が開いた状態となっている上記（１）に記載のブラインド。
【０００８】
（３）  前記複数のブラインド羽根には、前記上側フレームと前記下側フレームの回動軸と同軸的に前記内枠に支持されたブラインド羽根が含まれ、該ブラインド羽根は、前記第１操作部および前記第２操作部のそれぞれに回動自在に連結されている上記（１）または（２）に記載のブラインド。
【発明の効果】
【０００９】
本発明によれば、操作性に優れるブラインドを提供することができる。具体的には、操作ハンドルを回すだけでブラインド羽根の角度を変化させたり、内枠を折り畳んだりすることができ、これらの操作を操作ハンドルの回転方向によって選択することができるため、優れた操作性を発揮することができる。
【００１０】
また、本発明は、内枠を伸ばした状態でブラインド羽根の角度を変化させれば、通常のブラインドとして、日差しを調節することができる。また、内枠を折り畳めば、庇として利用することもできる。また、内枠を伸ばした状態でブラインド羽根を閉じれば、雨戸としても利用することができる。このように、本発明によれば、機能性に優れるブラインドを提供することもできる。
【図面の簡単な説明】
【００１１】
【図１】本発明のブラインドの好適な実施形態を示す平面図（表面図）である。
【図２】図１に示すブラインドの断面図である。
【図３】図１に示すブラインドの平面図（裏面図）である。
【図４】図１に示すブラインドの断面図である。
【図５】図１に示すブラインドの部分断面平面図である。
【図６】図１に示すブラインドの操作方法を説明するための断面図である。
【図７】図１に示すブラインドの操作方法を説明するための断面図である。
【発明を実施するための形態】
【００１２】
以下、本発明のブラインドを添付図面に示す好適な実施形態に基づいて詳細に説明する。
【００１３】
図１は、本発明のブラインドの好適な実施形態を示す平面図（表面図）、図２は、図１に示すブラインドの断面図、図３は、図１に示すブラインドの平面図（裏面図）、図４は、図１に示すブラインドの断面図、図５は、図１に示すブラインドの部分断面平面図、図６および図７は、図１に示すブラインドの操作方法を説明するための断面図である。なお、以下では、説明の便宜上、図１に図示されている面側を「表」と言い、反対側を「裏」と言う。また、図１ないし図７中の上側を「上」と言い、下側を「下」と言う。
【００１４】
図１に示すブラインド１は、例えば、建物の窓に設置して用いられるものであり、図１で図示されている表面を建物の外側に向けて設置される。このようなブラインド１は、外枠２と、外枠２の内側に設けられた内枠３と、内枠３に取り付けられた複数のブラインド羽根４と、複数のブラインド羽根４を連結する操作アーム（操作部）５と、外枠２に対して上下方向に移動可能な移動部６と、移動部６を移動させる操作ハンドル７とを有している。
【００１５】
このようなブラインド１は、操作ハンドル７を回すことによって、ブラインド羽根４の開閉を行うことができ、さらに、内枠３を折り畳むことができる。ブラインド１の使用方法については、後に詳細に説明する。また、以下では、説明の便宜上、図１に示すように、内枠３が伸びており、かつブラインド羽根４が閉じられた状態を「基本状態」とも言う。
【００１６】
図１に示すように、内枠３は、当該内枠３の上側部分を構成する「コ」字状の上側フレーム３１と、下側部分を構成する「コ」字状の下側フレーム３２と、これらを回動自在に連結する連結部３３とを有している。そのため、ブラインド１では、内枠３を上下方向に延びた状態から「く」字状に折り曲げることができる。なお、連結部３３は、例えば蝶番で構成することができる。
【００１７】
このような内枠３（上側フレーム３１、下側フレーム３２および連結部３３）は、例えば、アルミニウムで構成されている。なお、内枠３の構成材料としては、これに限定されず、アルミニウム以外の各種金属材料、各種樹脂材料、各種木材等を用いることができる。
【００１８】
図１に示すように、内枠３の内側には、複数のブラインド羽根４が上下方向（鉛直方向）に並んで配置されている。各ブラインド羽根４は、水平方向に延在して設けられており、その両端部が軸４１を介して内枠３に回動自在に支持されている。
【００１９】
本実施形態では、内枠３に９枚のブラインド羽根４が配置されており、このうち上側の４枚のブラインド羽根４ａが上側フレーム３１に支持され、下側４枚のブラインド羽根４ｂが下側フレーム３２に支持され、中央の１枚のブラインド羽根４ｃが連結部３３に支持されている。また、ブラインド羽根４ｃの回動軸は、連結部３３の回動軸と一致している。
【００２０】
なお、ブラインド羽根４の枚数は、これに限定されず、８枚以下であってもよいし、１０枚以上であってもよい。
【００２１】
図２に示すように、各ブラインド羽根４は、基本状態にて上側に位置する部分（直上のブラインド羽根４と重なる部分）が裏側へ折り曲げられている。各ブラインド羽根４をこのような形状とすることにより、基本状態のときに、例えば雨風の侵入経路が形成され難くなり、ブラインドとしての機能が向上する。さらに、基本状態にて、各ブラインド羽根４の面が鉛直方向と平行となるため、ブラインド１の見栄えも向上する。
【００２２】
このようなブラインド羽根４は、例えば、アルミニウムで構成されている。なお、ブラインド羽根４の構成材料としては、これに限定されず、アルミニウム以外の各種金属材料、各種樹脂材料、各種木材等を用いることができる。
【００２３】
図２および図３に示すように、各ブラインド羽根４の両端部の裏側には、接続具４２が固定されている。複数のブラインド羽根４のうち、ブラインド羽根４ａ、４ｃに設置された接続具４２は、第１操作アーム５１に回動自在に連結され、ブラインド羽根４ｂ、４ｃに設置された接続具４２は、第２操作アーム５２に回動自在に連結されている。すなわち、第１、第２操作アーム５１、５２は、回動自在に連結されており、これらが操作アーム５を構成している。なお、基本状態において、各接続具４２は、それが固定されたブラインド羽根４の回動軸よりも上側にて操作アーム５に連結されている。
【００２４】
以上のようなブラインド羽根４が配置された内枠３は、外枠２の内側に配置されている。外枠２は、その平面視にて、四角形状をなしており、鉛直方向に延在する一対の縦フレーム２１、２２と、水平方向に延在する一対の横フレーム２３、２４とで構成されている。
【００２５】
このような外枠２は、例えば、アルミニウムで構成されている。なお、外枠２の構成材料としては、これに限定されず、アルミニウム以外の各種金属材料、各種樹脂材料、各種木材等を用いることができる。
【００２６】
横フレーム２３には、蝶番１００を介して内枠３の上側フレーム３１が固定されており、これにより、内枠３が外枠２に吊り下げ支持されている。また、上側フレーム３１は、蝶番１００を回動軸として、外枠２に対してブラインド１の表側に回動自在となっている。
【００２７】
図４に示すように、縦フレーム２１（縦フレーム２２についても同様）内には、歯車８１、８２と、これらを繋ぐチェーン８３とが配置されている。歯車８１は、軸８１１を介して外枠２に支持されており、同様に、歯車８２は、軸８２１を介して外枠２に軸支されている。また、これら歯車８１、８２を結ぶチェーン８３の途中には、移動部６が設けられている。
【００２８】
また、図５に示すように、軸８２１の途中には、傘歯車８６が設けられており、この傘歯車８６は、軸８７１を介して外枠２に支持された傘歯車８７と噛合している。傘歯車８７の軸８７１は、外枠２からその裏側へ突出しており、突出した部分に操作ハンドル７が取り付けられている。
【００２９】
このような機構では、操作ハンドル７を回転操作すると、チェーン８３が回転し、それに伴って移動部６が外枠２に対して上下方向に移動する。この移動部６には、連結具９を介して、第２操作アーム５２が回動自在に連結されている。
以上、ブラインド１の構成について詳細に説明した。
【００３０】
次いで、図６および図７に基づいて、ブラインド１の使用方法について説明する。なお、図６では、説明の便宜上、外枠２の図示を省略している。
【００３１】
［１］  基本状態から、操作ハンドル７を第１方向（例えば時計回り）に回して、移動部６を下側へ移動させると、移動部６に連結する第２操作アーム５２と、第２操作アーム５２に連結する第１操作アーム５１とが下側へ移動する。すると、図６に示すように、第１、第２操作アーム５１、５２の移動に伴って、ブラインド羽根４が内枠３に対して回動し、ブラインド羽根４が開かれるとともに、ブラインド羽根４の角度が変化する。これにより、ブラインド羽根４の角度を簡単に目的の角度とすることができる。
【００３２】
なお、全てのブラインド羽根４は、第１、第２操作アーム５１、５２によって互いに連結されているため、第１、第２操作アーム５１、５２が移動すると、全てのブラインド羽根４が一勢に、かつ互いに同じ角度（姿勢）を保ちつつ回動する。このような構成とすることにより、ブラインド１の操作性が向上する。
【００３３】
［２］  基本状態から、操作ハンドルを第１方向と逆の第２方向（反時計回り）に回して、移動部６を上側へ移動させると、図７に示すように、内枠３がブラインド１の表側へ突出しつつ、連結部３３で屈曲し「く」字状に折り畳まれる。このとき、図７に示すように、下側フレーム３２がほぼ水平となるまで内枠３を折り畳むことができるのが好ましい。
【００３４】
また、内枠３が折り畳まれる際には、第１操作アーム５１と連結するブラインド羽根４ａ、４ｃは、上側フレーム３１に対して回動せず、第２操作アーム５２のみと連結するブラインド羽根４ｂは、下側フレーム３２に対して回動する。なお、この際にも、各ブラインド羽根４は、互いに同じ角度（姿勢）に保たれている。そのため、上側フレーム３１ではブラインド羽根４が閉じられた状態となっており、下側フレーム３２ではブラインド羽根４が開かれた状態となっている。
以上、ブラインド１の使用方法について説明した。
【００３５】
このようなブラインド１によれば、操作ハンドル７を回すだけでブラインド羽根４の角度を変化させたり、内枠３を折り畳んだりすることができ、さらには、これらの操作を操作ハンドル７の回転方向によって選択することができるため、優れた操作性を発揮することができる。
【００３６】
また、ブラインド１によれば、前記［１］のように、内枠３を伸ばした状態でブラインド羽根４の角度を変化させれば、通常のブラインドとして、日差しを調節することができる。また、ブラインド羽根４を閉じれば、雨戸としても利用することができる。
【００３７】
また、前記［２］のように、内枠３を折り畳めば、ブラインド１を庇（ひさし）として利用することもできる。特に、前述したように、内枠３を折り畳んだ時には上側フレーム３１に支持されたブラインド羽根４（４ａ、４ｃ）が閉じているため、雨等の侵入を効果的に防止することができ、ブラインド１を庇として有効に用いることができる。
【００３８】
また、本実施形態では、上側フレーム３１と下側フレーム３２の回動軸と同軸的に支持されたブラインド羽根４ｃが含まれ、このブラインド羽根４ｃを、第１操作アーム５１および第２操作アーム５２のそれぞれに回動自在に連結している。そのため、内枠３を折り畳んだときに、ブラインド羽根４ｃをブラインド羽根４ａとともに閉じた状態とすることができ、庇の長さをより長くすることができる。
【００３９】
このように、ブラインド１は、ブラインドとしての機能の他にも、種々の機能を発揮することができるため、優れた機能性を発揮することができる。
【００４０】
以上、本発明のブラインドを図示の実施形態について説明したが、本発明は、これに限定されるものではなく、ブラインドを構成する各部は、同様の機能を発揮し得る任意の構成のものと置換することができる。また、任意の構成物が付加されていてもよい。
【符号の説明】
【００４１】
１            ブラインド
２            外枠
２１          縦フレーム
２２          縦フレーム
２３          横フレーム
２４          横フレーム
３            内枠
３１          上側フレーム
３２          下側フレーム
３３          連結部
４            ブラインド羽根
４ａ          ブラインド羽根
４ｂ          ブラインド羽根
４ｃ          ブラインド羽根
４１          軸
４２          接続具
５            操作アーム
５１          第１操作アーム
５２          第２操作アーム
６            移動部
７            操作ハンドル
８１          歯車
８１１        軸
８２          歯車
８２１        軸
８３          チェーン
８６          傘歯車
８７          傘歯車
８７１        軸
９            連結具
１００        蝶番
【図１】
2012154104.tif 000003
【図２】
2012154104.tif 000004
【図３】
2012154104.tif 000005
【図４】
2012154104.tif 000006
【図５】
2012154104.tif 000007
【図６】
2012154104.tif 000008
【図７】
2012154104.tif 000009